(57)【要約】【課題】従来、ラベル巻き電池パックにおいて、文字や符号等の表示部を設ける場合、ラベル巻き電池パックのラベルの表面ないしラベル巻き電池パックの電池本体に直接設ける必要があったが、これでは表示部が保護されていないため、使用時の磨耗により表示部が消えるという不都合があった。【解決手段】電池本体５に帯状のラベル２（ａ）が少なくとも一周以上巻きつけられ、該ラベル２（ａ）は、少なくとも一部が透明領域８（ａ）とされると共に、他の部分に非透明領域９を備えた構成とされ、前記透明領域８（ａ）を目視したときに、該透明領域８（ａ）を通して、視認自在な表示部７が形成されていることを特徴とするラベル巻き電池パック１（ａ）を提供する。【選択図】図３
2010021074.tif 000002
【特許請求の範囲】
【請求項１】
電池本体に帯状のラベルが少なくとも一周以上巻きつけられ、
該ラベルは、少なくとも一部が透明領域とされると共に、他の部分に非透明領域を備えた構成とされ、
前記透明領域を目視したときに、該透明領域を通して、視認自在な表示部が形成されていることを特徴とするラベル巻き電池パック。
【請求項２】
前記ラベルは、重ね巻き部分を生じせしめて前記電池本体に巻き付けられ、
前記透明領域が前記重ね巻き部分の上側の巻き付け部分に形成されていることを特徴とする請求項１に記載のラベル巻き電池パック。
【請求項３】
前記表示部が、前記ラベル又は前記電池本体に形成されていることを特徴とする請求項１又は２に記載のラベル巻き電池パック。
【請求項４】
前記ラベルは、前記透明領域とされる部分が透明基材により構成されると共に、非透明領域とされる部分が該透明基材面に有色基材を形成した構成とされていることを特徴とする請求項１から３の何れかに記載のラベル巻き電池パック。
【請求項５】
前記透明基材が、透明ラミネートであることを特徴とする請求項４に記載のラベル巻き電池パック。
【発明の詳細な説明】
【技術分野】
【０００１】
この発明は、電池本体にラベルを巻き付けて構成されたラベル巻き電池パックに関する。
【背景技術】
【０００２】
周知のように、携帯電話機等の小型電子機器の駆動用電源として用いられる電池は、小型であることが強く求められているため、そのような小型化の要望に応える電池として、電池本体にラベルが巻き付けられた構成のラベル巻き電池パックが知られている。
従来、この種のラベル巻き電池パックとして、以下に示すラベル巻き電池パックが知られている。
【０００３】
図１３及び図１４は、上記従来のラベル巻き電池パックの一例を示すものである。
図１３及び図１４に示すように、ラベル巻き電池パック１は、電池本体５と電池本体５に巻き付けられたラベル２とから概略構成されている。
図１４に示すように、ラベル２は、有色基材３と透明基材４の二層構造で構成されており、有色基材３を内側にして、電池本体５に巻き付けられている。
【０００４】
図１３（ａ）に示すように、ラベル巻き電池パック１の平面には、商品名や警告文等の表示部６が印字されているが、これはラベル２の製造過程に形成されたものである。
すなわち、表示部６は、ラベル２を製造する際に、有色基材３と透明基材４との間に記載されるようになっている。
したがって、図１４に示すように、表示部６は完成後のラベル巻き電池パック１において、透明基材４で覆われている。
【０００５】
このようにラベル２が電池本体５に巻き付けられるという構成を採用したことにより、ラベル２は、製品の内容表示等を行う表示部としての機能を有する一方、電池本体５が液漏れを起こした際に、該電池の搭載された機器が汚損されることを防ぐという機能を果たすと共に、電池本体５を外傷から保護するという役割も果たす。
また、ラベル２に有色基材３を用いて、不透明領域を形成することで、ラベル２に商品名や警告文等（表示部６）を表示した際に、見やすいという効果が得られる。加えて、電池本体の内部が見えなくなるため、電池内部の構造等の機密情報を保護する効果も得られる。
【０００６】
また、上記と別の電池パックとして、電池本体に表示部を設けたラベルを貼付した構成のものが知られている（特許文献１）。
この電池パックは、電池本体に貼付したラベルを剥離したときに、剥離状態を確認できるように構成したものである。
【特許文献１】特開２００２−２１６７２５号公報
【発明の開示】
【発明が解決しようとする課題】
【０００７】
ところで、図１３及び図１４に示すものは、ラベル２自体が完成した後に、ラベル２を用いてラベル巻き電池パック１を製造する際、さらに追加して製造年月日等の文字や符号等の表示部７を設けるには、ラベル巻き電池パック１のラベル２の表面ないしラベル巻き電池パック１の正面に直接印字する必要があった。
図１３（ｂ）、（ｃ）及び図１４の表示部７がこれを示している。
しかし、これでは表示部７の表面が保護されていないため、使用時の磨耗により表示部７が消えるという不都合が生じていた。
【０００８】
そこで、この不都合を解消する方法として、透明ラベル１２を表示部７の上に被せることにより保護する方法が考えられる。図１５及び図１６はこの技術を示すものである。
図１５は、電池本体５に巻き付けられる前のラベル２の断面図であり、図１６はラベル巻き電池パック１の断面図である。
図１５及び図１６からも明らかなように、表示部７の表面には透明ラベル１２が貼着されている。
【０００９】
この技術によれば、ラベル２上の表示部７は、透明ラベル１２によって覆われることとなり、視認自在でありがなら、使用時の磨耗から保護されることとなる。
【００１０】
しかし、透明ラベル１２を表示部７に被せる場合、部品点数の追加による費用の増加や作業効率の悪化といった不都合が生じることとなる。
【００１１】
また、表示部７の磨耗による消滅に対する解決方法として、レーザー加工を行うことにより、耐磨耗性に優れた表示部７を形成するという方法も考えられる。
しかし、この方法も同様に、レーザー加工機購入等の多額の設備投資が必要になるというコスト面での不都合があった。
【００１２】
また、特許文献１に記載されたものは、ラベルを一周以上巻き付ける構成を採用せずに、筐体によって電池本体を保護する構成を採用しているため、小型化が図れないという問題がある。更に、そもそもラベル製造段階で表示部が設けられる技術に関するものなので、ラベル自体が完成した後に表示部を設ける際には、上記と同様の不都合があった。
【００１３】
本発明は、このような事情を考慮してなされたもので、その目的は、ラベル自体が完成した後に形成されるラベル巻き電池パックに設けられた表示部が、使用時の磨耗により消滅せず、かつ小型化が可能で、製造コストが抑えられたラベル巻き電池パックを提供することである。
【課題を解決するための手段】
【００１４】
上記の目的を達成するために、本発明は以下の手段を提供している。
本発明のラベル巻き電池パックは、電池本体に帯状のラベルが少なくとも一周以上巻きつけられ、該ラベルは、少なくとも一部が透明領域とされると共に、他の部分に非透明領域を備えた構成とされ、前記透明領域を目視したときに、該透明領域を通して、視認自在な表示部が形成されていることを特徴とするものである。
【００１５】
すなわち、表示部の上側に透明領域が設けられるように構成する。
【００１６】
また、本発明のラベル巻き電池パックにおいては、前記ラベルは、重ね巻き部分を生じせしめて前記電池本体に巻き付けられ、前記透明領域が前記重ね巻き部分の上側の巻き付け部分に形成されていることが好ましい。
【００１７】
また、本発明のラベル巻き電池パックにおいては、前記表示部が、前記ラベル又は前記電池本体に形成されていることが好ましい。
【００１８】
また、本発明のラベル巻き電池パックにおいては、前記ラベルは、前記透明領域とされる部分が透明基材により構成されると共に、非透明領域とされる部分が該透明基材面に有色基材を形成した構成とされていることが好ましい。
【００１９】
また、本発明のラベル巻き電池パックにおいては、前記透明基材が、透明ラミネートであることが好ましい。
【発明の効果】
【００２０】
本発明では、ラベル自体が完成した後に形成される、ラベル巻き電池パックに設けられた表示部が、視認自在であると共に、当該表示部が磨耗から保護されるという効果が得られる。
また、本発明の構成によれば、ラベル巻き電池パックの構成をそのまま利用することが可能であり、小型化が可能であると共に、表示部を保護するための特別な部品の追加も行わないので、費用がかからないという効果が得られる。
【発明を実施するための最良の形態】
【００２１】
以下、本発明の実施形態であるラベル巻き電池パックについて、図面を参照して説明する。
【００２２】
［第１の実施形態］
図３は、本発明の第１の実施形態であるラベル巻き電池パック１（ａ）の平面図及び底面図で、図４は、図３（ｂ）のＢ−Ｂ’間断面図である。また、図１は、ラベル巻き電池パック１（ａ）を構成しているラベル２（ａ）の平面図で、図２は図１のＡ−Ａ’間断面図である。
【００２３】
本実施形態のラベル巻き電池パック１（ａ）は、図３及び図４に示すように、所定の厚みを有し、平面視矩形状に形成された電池本体５に略帯状のラベル２（ａ）が巻き付けられて概略構成されている。
【００２４】
図１に示すように、本実施形態のラベル２（ａ）は、前述したように略帯状の形状をしているが、さらに具体的には、略長方形の形に、当該長方形の長辺に略四角形の凸部１０が付け加えられた形状をしている。
また、略長方形の形状をしたラベル２（ａ）の長辺の長さは、ラベル２（ａ）が電池本体５に巻き付けられた際に、電池本体５を覆うに足る長さよりも長く構成されている。そして、当該長方形の短辺の長さは、電池本体５の幅寸法と略同じ長さに構成されている。
また、凸部１０は、ラベル２（ａ）が電池本体５に巻き付けられた際に、電池本体５の背面に貼られるが、電池本体５の背面全てを覆うのではなく、一部を覆うに留まる大きさで構成されている。
【００２５】
また、ラベル２（ａ）は、略二層構造になっており、不透明な有色基材３及び透明な透明基材４から構成されている。透明基材４としては、例えば、透明ラミネートなどがあげられる。
なお、ラベル２（ａ）は、電池本体５に巻き付けられる際、有色基材３が透明基材４の内側に配置されるように巻き付けられる。
【００２６】
図１及び図２に示すように、有色基材３と透明基材４の間には、表示部６が設けられている。また、透明基材４の有色基材３と接着していない面には、表示部７が設けられている。
表示部６は、有色基材３と透明基材４の間に配置されるのであれば、どの位置に配置されても構わないが、本実施形態では、ラベル２（ａ）を巻き付けた際に、表示部６がラベル巻き電池パック１（ａ）の平面に配置されるように構成されている。
表示部７の配置位置については後述する。
【００２７】
また、図１及び図２に示すように、有色基材３及び透明基材４の形状は略一致しているが、有色基材３と透明基材４との形状が完全には一致せず、透明基材４の方が有色基材３よりも広がりが大きく構成されている。これにより、略長方形の形状をしたラベル２（ａ）の短辺の近傍部に透明基材４が有色基材３からはみ出している透明領域８（ａ）が形成される。すなわち、透明領域８（ａ）は、ラベル２（ａ）の他の部分とは異なり、透明基材４の一層のみで構成されている透明な部分である。
また、透明領域８（ａ）以外のラベル２の二層構造になっている部分は、非透明領域９となっている。
【００２８】
前述したように、図３及び図４に示すように、本実施形態のラベル巻き電池パック１（ａ）は、所定の厚みを有した平面視矩形状の電池本体５に、上記構成をとっているラベル２（ａ）が巻き付けられた構成をしている。
なお、図４に示すように、電池本体５が外観から見られないようにするため、ラベル２（ａ）は、少なくとも１周以上電池本体５に巻き付けられており、ラベル２（ａ）の巻き付け始端部位と巻き付け終端部位がオーバーラップして重ね巻き部分１３を生じせしめて巻き付けられている。
また、前述したようにラベル２（ａ）を構成している二層のうち、有色基材３が透明基材４の内側に配置されるように巻き付けられている。
【００２９】
図３及び図４に示すように、ラベル２（ａ）の透明基材４の一層のみで構成されている透明領域８（ａ）は、電池本体５に巻き付けられる際の巻き付け終端部位であり、重ね巻き部分１３の一部に形成されており、オーバーラップしてラベル２（ａ）の外側層である透明基材４上に巻き付けられている。
そして、透明領域８（ａ）が巻き付けられたラベル２（ａ）の外側層である透明基材４の被貼着部位１１上に、表示部７が設けられるようにラベル巻き電池パック１（ａ）が構成されている。
【００３０】
このように透明な透明領域８（ａ）を、表示部７に覆いかぶさるように巻き付けるよう配置したことで、表示部７が透明領域８（ａ）によって保護されることとなる。
【００３１】
この結果、ラベル２（ａ）自体が完成した後に形成される表示部７が、視認自在であると共に、表示部７が使用時の磨耗から保護されるという効果が得られる。
また、本発明の構成によれば、従来のラベル巻き電池パック１の構成をそのまま利用することになり、小型化が可能であると共に、表示部７を保護するための特別な部品の追加も不要となるので、費用がかからないという効果が得られる。
【００３２】
［第２の実施形態］
図８は、本発明の第２の実施形態のラベル巻き電池パック１（ｂ）の底面図である。また、図５は、本実施形態であるラベル巻き電池パック１（ｂ）に巻き付けられるラベル２（ｂ）の平面図で、図６は、図５のＣ−Ｃ’間断面図で、図７は、図５のＤ−Ｄ’間断面図である。
【００３３】
本実施形態は、第１の実施形態の変形例であり、同様の部分については説明を省略する。
【００３４】
本実施形態においては、図５に示すように、ラベル２（ｂ）には透明領域８（ｂ）が形成されている。
透明領域８（ｂ）は、ラベル２（ｂ）を電池本体５に巻き付ける際の巻き付け終端部分である２（ｂ）の短辺の近傍部に、当該短辺に沿う辺を長辺とした略長方形の形状で配置されている。
また、透明領域８（ｂ）は、ラベル２（ｂ）の他の部位と構造が異なり、二層構造ではなく透明基材４の一層のみから構成されている透明な部分である。いわば、透明基材４と重なっている有色基材３から、有色基材３の一部を切り抜くようにして構成されている。
【００３５】
また、図５に示すように、本実施形態においては、表示部７は、ラベル２（ｂ）を電池本体５に巻き付ける際の巻き付け始端部分であるラベル２（ｂ）の短辺の近傍部に、当該短辺に沿って、ラベル２（ｂ）の表面上に設けられている。
【００３６】
そして、ラベル２（ｂ）が電池本体５に巻き付けられた際、表示部７が設けられた部分の上側に、ラベル２（ｂ）の透明領域８（ｂ）が巻き付けられるようにラベル巻き電池パック１（ｂ）が構成されている。
【００３７】
このように構成されることによって、本実施形態の表示部７も、その外側にラベル２（ｂ）の透明領域８（ｂ）が覆い被さることによって、第１の実施形態と同様な効果を得ることができる。
すなわち、ラベル２（ｂ）自体が完成した後に形成される表示部７が、視認自在であると共に、表示部７が使用時の磨耗から保護されるという効果が得られ、また、従来のラベル巻き電池パック１の構成をそのまま利用するので、小型化が可能であると共に、表示部７を保護するための特別な部品の追加も不要となり、費用がかからないという効果も得られる。
【００３８】
なお、本実施形態では、透明領域８（ｂ）及び表示部７を、それぞれラベル２（ｂ）の短辺近傍部に配置したが、透明領域８（ｂ）が表示部７を、間に何も挟まずに覆い被さるように構成する限り、それぞれラベル２（ｂ）のどの部位にどのような形状で配置しても構わない。
【００３９】
［第３の実施形態］
図１２は、本発明の第３の実施形態であるラベル巻き電池パック１（ｃ）の平面図、背面図及び左側面図で、図１１はラベル巻き電池パック１（ｃ）を構成する電池本体５の平面図、背面図及び左側面図である。また、図９は、ラベル巻き電池パック１（ｃ）を構成するラベル２（ｃ）の平面図で、図１０は、図９のＥ−Ｅ’間断面図である。
【００４０】
本実施形態は、第１ないし第２の実施形態の変形例であり、同様の部分については説明を省略する。
【００４１】
本実施形態においては、図１１（ｂ）及び（ｃ）に示すように、表示部７が電池本体５の背面ないし左側面に設けられている。
なお、図１１（ｂ）及び図１２（ｂ）に示すように、電池本体５の背面の表示部７が設けられた部分は、ラベル２（ｃ）を電池本体５に巻き付けた際に、ラベル２（ｃ）の凸部１０が貼り付けられる部分である。
【００４２】
また、図９及び図１０に示すように、ラベル２（ｃ）の略中央部に、透明領域８（ｃ）が設けられている。透明領域８（ｃ）は、ラベル２（ｃ）の短辺に沿った辺を長辺として略長方形の形状で配置されている。
【００４３】
また、図９に示すように、ラベル２（ｃ）の凸部１０に、透明領域８（ｄ）が設けられている。透明領域８（ｄ）は、ラベル２（ｃ）の長辺方向に沿って、凸部１０の両端上に短辺を設けた略長方形の形状で配置されている。
【００４４】
なお、透明領域８（ｃ）及び透明領域８（ｄ）は、ラベル２（ｃ）の他の部位と構造が異なり、二層構造ではなく透明基材４の一層のみから構成されている透明な部分である。
【００４５】
そして、図１２（ｂ）及び（ｃ）に示すように、本実施形態のラベル巻き電池パック１（ｃ）は、上記構成をしたラベル２（ｃ）が電池本体５に巻き付けられた際、電池本体５の左側面ないし背面に設けられた表示部７の上側に、ラベル２（ｃ）の透明領域８（ｃ）ないし透明領域８（ｄ）が配置されるように構成されている。
【００４６】
このように構成されることによって、本実施形態の表示部７も、その外側にラベル２（ｃ）の透明領域８（ｃ）ないし透明領域８（ｄ）が覆い被さることによって、第１の実施形態と同様な効果を得ることができる。
すなわち、ラベル２（ｃ）自体が完成した後に形成される表示部７が、視認自在であると共に、表示部７が使用時の磨耗から保護されるという効果が得られ、また、従来のラベル巻き電池パック１の構成をそのまま利用するので、小型化が可能であると共に、表示部７を保護するための特別な部品の追加も不要となり、費用がかからないという効果も得られる。
【００４７】
なお、本実施形態では、電池本体５の左側面に表示部７を設けたが、右側面に設けても構わない。
【００４８】
以上、本発明を実施形態に基づき説明したが、本発明は、上記実施形態に限定されるものではなく、その要旨を逸脱しない範囲で種々変更可能であることは言うまでもない。例えば、本実施形態では、表示部の上側にラベルの透明領域が巻き付けられる構成を採用したが、ラベルの透明領域の内側表面に直接表示部を設けても構わない。
【産業上の利用可能性】
【００４９】
本発明は、ラベル巻き電池パックを製造する製造業において幅広く利用することができる。
【図面の簡単な説明】
【００５０】
【図１】図１は、本発明の第１の実施形態であるラベル巻き電池パックに巻き付けられるラベルの平面図である。
【図２】図２は図１のＡ−Ａ’間断面図である。
【図３】図３（ａ）は、本発明の第１の実施形態であるラベル巻き電池パックの平面図で、図３（ｂ）は、その底面図である。
【図４】図４は図３のＢ−Ｂ’間断面図である。
【図５】図５は、本発明の第２の実施形態であるラベル巻き電池パックに巻き付けられるラベルの平面図である。
【図６】図６は、図５のＣ−Ｃ’間断面図である。
【図７】図７は、図５のＤ−Ｄ’間断面図である。
【図８】図８は、本発明の第２の実施形態であるラベル巻き電池パック１の底面図である。
【図９】図９は、本発明の第３の実施形態であるラベル巻き電池パックに巻き付けられるラベルの平面図である。
【図１０】図１０は、図９のＥ−Ｅ’間断面図である。
【図１１】図１１（ａ）は、本発明の第３の実施形態であるラベル巻き電池パックを構成する電池本体の平面図で、図１１（ｂ）は、その背面図、図１１（ｃ）は、その左側面図である。
【図１２】図１２（ａ）は、本発明の第３の実施形態であるラベル巻き電池パックの平面図で、図１２（ｂ）は、その背面図、図１２（ｃ）は、その左側面図である。
【図１３】図１３（ａ）は、従来のラベル巻き電池パックの平面図で、図９（ｂ）は、その底面図、図９（ｃ）は、その正面図である。
【図１４】図１４は、図１３（ｂ）のＦ−Ｆ’間断面図である。
【図１５】図１５は、透明ラベルが貼着された従来のラベル巻き電池パックを構成するラベルの断面図である。
【図１６】図１６は、透明ラベルが貼着された従来のラベル巻き電池パックの断面図である。
【符号の説明】
【００５１】
１，１（ａ），１（ｂ）及び１（ｃ）・・・ラベル巻き電池パック、２，２（ａ），２（ｂ）及び２（ｃ）・・・ラベル、３・・・有色基材、４・・・透明基材、５・・・電池本体、７・・・表示部、８，８’・・・透明領域、９・・・非透明領域、１３・・・重ね巻き部分
【図１】
2010021074.tif 000003
【図２】
2010021074.tif 000004
【図３】
2010021074.tif 000005
【図４】
2010021074.tif 000006
【図５】
2010021074.tif 000007
【図６】
2010021074.tif 000008
【図７】
2010021074.tif 000009
【図８】
2010021074.tif 000010
【図９】
2010021074.tif 000011
【図１０】
2010021074.tif 000012
【図１１】
2010021074.tif 000013
【図１２】
2010021074.tif 000014
【図１３】
2010021074.tif 000015
【図１４】
2010021074.tif 000016
【図１５】
2010021074.tif 000017
【図１６】
2010021074.tif 000018